(57)【要約】      （修正有）【課題】板状商品を常にバランス良く収納することができる商品展示用容器を提供する。【解決手段】上方及び前面が開放され、複数の板状商品１２を厚さ方向に重ねて立てた状態で収納しうる商品展示用容器１０であって、底板部と、底板部の前端部に立設された前板部１４と、底板部の後端部に設けられ、前板部に対向して配置された背板部１５と、前板部と上記背板部との間に設けられた一対の側板部１７とにより形成される収納部を備えた商品展示用容器において、底板部には、前方に向かって下降して傾斜する傾斜板部が設けられている。【選択図】図６
0003193294.tif 000002
【実用新案登録請求の範囲】
【請求項１】
上方及び前面が開放され、複数の板状商品を厚さ方向に重ねて立てた状態で収納しうる商品展示用容器であって、底板部と、上記底板部の前端部に立設された前板部と、上記底板部の後端部に設けられ、上記前板部に対向して配置された背板部と、上記前板部と上記背板部との間に設けられた一対の側板部とにより形成される収納部を備えた商品展示用容器において、上記底板部には、前方に向かって下降して傾斜する傾斜板部が設けられていることを特徴とする商品展示用容器。
【請求項２】
上記背板部は上記前板部よりも高さ寸法が大きく形成されていることを特徴とする請求項１記載の商品展示用容器。
【請求項３】
上記傾斜板部は、上記前板部と上記背板部との間に、背板部と一体に設けられ、背板部の下端部及び前板部の下端部との間に設けられていることを特徴とする請求項１記載の商品展示用容器。
【請求項４】
上記底板部及び背板部は方形状に形成されると共に、上記側板部は台形状に形成されていることを特徴とする請求項１記載の商品展示用容器。
【請求項５】
上記底板部、前板部、側板部、背板部及び傾斜板部は１枚の厚紙を切り起こして形成されていることを特徴とする請求項１記載の商品展示用容器。
【考案の詳細な説明】
【技術分野】
【０００１】
本考案は、板状商品展示容器に係り、特に、複数の板状の板状商品を厚さ方向に重ねて配置した状態で収納しうる商品展示用容器に関する。
【背景技術】
【０００２】
従来より、例えば、図７及び図８に示すような、複数の、全体板状に包装された板状商品６１を厚さ方向に並置した状態で収納しうる商品展示用容器６０が存在する。
【０００３】
このような商品展示用容器６０は、一枚の用紙から切り起こされて形成されており、上方及び前方が開放されており、平板状に形成された底板部６２と、底板部６２の幅方向一端部に立設された全体長方形状の背板部６３と、背板部６３の長さ方向両端部に接合され、底板部６２の長さ方向両端部に立設された一対の、略三角形状の側板部６４、６４と、背板部６３に対向して設けられた低い高さ寸法の前板部６８とにより形成される収納部６９を有し、背面板部６３には、背面方向に突出配置される２つの支持板６５、６５が背板部６３の高さ方向に沿って設けられている。
【０００４】
このような従来の板状商品展示容器６０を使用して、複数の板状商品をディスプレイする場合には、図８に示すように、複数枚の板状商品６１を開口部を介して底板部６２に載置すると共に、背板部６３に持たせかけるようにして、板状商品６１の重量を背板部６３を介して支持板６５、６５により支持させた状態で収納させる。
【０００５】
しかしながら、このような従来の商品展示用容器６０にあっては、例えば、図９に示すように、基板６６上に、各種板状商品を収納する膨出部６７が形成されるような板状商品６１を、収納部６９に収納してディスプレイする場合には、膨出部６７のために複数枚の板状商品６１は重心バランスが前方側にかかる場合が多く、特に、板状商品６８の枚数が少なくなったような場合には、板状商品６１の重量により商品展示用容器１０の前方へ倒れてしまう場合がある、という不具合があった。
【０００６】
このような事態は、特に、商品展示用容器６０に収納している板状包装板状商品６８の枚数が少なくなり、商品展示用容器６０の前方へ板状包装板状商品６８の重量かかりやすくなった場合に発生していた。
【０００７】
このような観点から、出願人は出願前調査を行い関連する特許出願情報を検索し、下記特許文献１を抽出した。しかしながら、当該特許文献１に記載された商品展示用容器は、床面に敷いてある波板の波間へ板状商品の角が嵌り込むことにより、板状商品の床滑りを防ぐことを目的としており、上記不具合を解決することはできない。
【特許文献１】特開平１０−１９２１０８号公報
【考案の開示】
【考案が解決しようとする課題】
【０００８】
そこで、本願考案は、このような従来の要請に基づくものであってその課題は、板状商品を常にバランス良く収納することができる商品展示用容器を提供することにある。
【課題を解決するための手段】
【０００９】
上記課題を解決するために、請求項１に記載の考案にあっては、上方及び前面が開放され、複数の板状商品を厚さ方向に重ねて立てた状態で収納しうる商品展示用容器であって、底板部と、上記底板部の前端部に立設された前板部と、上記底板部の後端部に設けられ、上記前板部に対向して配置された背板部と、上記前板部と上記背板部との間に設けられた一対の側板部とにより形成される収納部を備えた商品展示用容器において、上記底板部には、前方に向かって下降して傾斜する傾斜板部が設けられていることを特徴とする。
【００１０】
従って、請求項１記載の考案にあっては、上記底板部には、前方に向かって下降して傾斜する傾斜板部が設けられていることから、板状商品を収納部内に収納した場合には、傾斜板部により底板部の幅方向前端部に板状商品が集中して配置される。
【００１１】
請求項２記載の考案にあっては、上記背板部は上記前板部よりも高さ寸法が大きく形成されていることを特徴とする。
【００１２】
請求項３記載の考案にあっては、上記傾斜板部は、上記前板部と上記背板部との間に、背板部と一体に設けられ、背板部の下端部及び前板部の下端部との間に設けられていることを特徴とする。
【００１３】
請求項４記載の考案にあっては、上記底板部及び背板部は方形状に形成されると共に、上記側板部は台形状に形成されていることを特徴とする。
【００１４】
請求項５記載の考案にあっては、上記底板部、前板部、側板部、背板部及び傾斜板部は１枚の厚紙を切り起こして形成されている。
【考案の効果】
【００１５】
請求項１〜５記載の考案にあっては、上記底板部には、前方に向かって下降して傾斜する傾斜板部が設けられていることから、板状商品を収納部内に収納した場合には、板状商品は全て下端部が底板部の幅方向前端部に配置されると共に背板部に支持された状態で収納されることから、板状商品の重心は全て背板部に掛り、板状商品が前方に傾斜して配置される事態は生じない。
【００１６】
その結果、板状商品を商品展示用容器に収納可能な枚数収納した場合には、収納枚数が少なくなった場合であっても、常に、板状商品の重心は背板部側にかかることから、背板部側へ傾斜した状態で配置されることから、安定した状態で収納され、板状商品が前方へ傾斜して配置され、その結果、商品展示用容器ごと前方へ倒れ込む事態を有効に防止することができ、収納枚数にかかわらず、常に安定した状態で収納することが可能となる。
【図面の簡単な説明】
【００１７】
【図１】本考案に係る商品展示用容器の一実施の形態を示す正面斜視図である。
【図２】本考案に係る商品展示用容器の一実施の形態を示す背面斜視図である。
【図３】本考案に係る商品展示用容器の一実施の形態を示し、図１のII−II線相当断面図である。
【図４】本考案の一実施の形態に係る商品展示用容器を作成する場合の展開図である。
【図５】本考案の一実施の形態に係る商品展示用容器に板状商品を収納している状態を示す斜視図である。
【図６】本考案の一実施の形態に係る商品展示用容器に板状商品を収納している状態を示し、板状商品が一枚になった状態を示す斜視図である。
【図７】従来の商品展示用容器を示す斜視図である。
【図８】従来の商品展示用容器に板状商品を収納した状態を背面から示す斜視図である。
【図９】従来の商品展示用容器に板状商品を収納した場合に、厚さ方向に膨出部を有する板状商品の重量バランスにより前方へ倒れる状態を示す斜視図である。
【考案を実施するための最良の形態】
【００１８】
以下、本考案を実施の形態に基づき、図面を参照して詳細に説明する。
【００１９】
図１に示すように、本実施の形態に係る商品展示用容器１０は、上方及び前方が開放され、複数の板状の板状商品１２を厚さ方向に重ねて配置した状態で収納しうるように構成されている。
【００２０】
本実施の形態に係る商品展示用容器１０は、底板部１３と、上記底板部１３の前端部に立設された前板部１４と、上記底板部１３の後端部に設けられ、上記前板部に対向して配置された背板部１５と、前板部１４の両側端部と背板部１５の両側端部との間に夫々設けられた側板部１７、１７とにより形成される収納部１６を備えている。
【００２１】
前板部１４は、側面略Ｕ字状に形成され、前面側に大きな開口部１９が形成されており、背板部１５は上記前板部１４よりも高さ寸法が大きく形成されている。
【００２２】
上記底板部１３及び背板部１５は長方形状に形成されると共に、上記側板部１７は台形状に形成されている。図２に示すように、背板部１５の裏面側には、高さ方向に沿って、互いに所定間隔をおいて配置された支持板部１８、１８が設けられている。
【００２３】
そして、本実施の形態にあっては、図３に示すように、上記底板部１３には、
前方に向かって下降して傾斜する傾斜板部１１が設けられている。
【００２４】
上記傾斜板部１１は、本実施の形態にあっては、長方形状板材を側断面略Ｌ字状に折曲した内方配置板部３０により形成されており、内方配置板部３０は、背板部１１に連設され、背板部１５上端部において折曲され、背板部１５の内方に配置された内方背板部３１と、内方背板部３１の下端部において折曲して配置された傾斜板部１１とにより構成されている。
傾斜板部１１は、背板部１５の下端部１５ａと前板部１４の下端部１４ａとの間に設けられ、傾斜板部１１上には前板部１４方向に向かって下降する傾斜面部を有する収納部１６が形成される。
【００２５】
図４に示すように、本実施の形態に係る商品展示用容器１０は１枚の厚紙を切り起こして形成されている。
即ち、容器形成台紙２０は、折り返し線部２７を介して一対に線対照に配置された前板形成部２１、２１と、一方の前板形成部２１の長さ方向両端部に連設された側板形成部２２、２２と、一方の側板形成部２２、２２に連設された正方形状の背板形成部２３と、背板形成部２３内に切り欠いて形成された支持板形成部２４、２４とを有している。背板形成部２３には折り返し線部２７を介して底板形成部３２が連設されている。なお、符号２５、２６は、夫々、側板固定部である。
【００２６】
そして、背板形成部２３の端部には、内方背板形成部２８が連設されると共に、内方背板形成部２８にはさらに傾斜板形成部２９が連設されている。
内方背板形成部２８は背板形成部２３と同一の幅寸法に形成されると共に、長さ寸法は背板形成部２３よりも短く形成されている。また、傾斜板形成部２９は、内方背板形成部２８と同一長さ寸法であると共に、幅寸法は、底板形成部３２の幅寸法よりも大きく形成されている。
【００２７】
本実施の形態に係る商品展示用容器１０を組み立てる場合には、折り返し線部２７を介して、前板形成部２１、２１及び側板形成部２２、２２を直角に折り返すと共に底板形成部３２を折り返し、側板固定部２６、２７により底板形成部３２に固定する。
次に、背板形成部２３内の支持板形成部２４、２４を線３３に沿って直角に折り返して、支持板１８、１８を形成して背板形成部２３から外方に突出配置させる。これにより商品展示用容器１０の基本的構成が形成される。
【００２８】
その後、内方背板形成部２８を折線３５に沿って折り返して背板部１５に沿わせて内方に配置すると共に、傾斜板形成部２９を折線３４に沿って折り返して、底板形成部２９により形成された底板部１３上に、傾斜板形成部２９の先端部が前板部１４の下端部１４ａに当接すると共に後端部は背板部１５の下端部１５ａに配置され、全体として前方に向かって傾斜するように配設する。
【００２９】
このようにして形成された商品展示用容器１０に、複数枚又は単数の板状商品１２を収納した場合には、図５に示すように、全ての板状商品１２は、傾斜板部１１により、下端部が前板部１４の下端部１４ａに配置され、その結果、板状商品１２は背板部１５の上端部にたて掛けられる形で、全体としては背板部１５にもたせ掛けられるように配置して収納される。
【００３０】
従って、板状商品１２が、基板６６上に各種板状商品を収納する膨出部６７が形成されるような板状包装板状商品６８であった場合であって、収納枚数が減少し、例えば、１枚になった場合であっても、図６に示すように、常に、板状商品１２は下端部が前板部１４の下端部に配置されると共に、上端部は背板部１５の上端部により支持されるようにして収納されることから、重心は常に背板側に掛るため、前方へ傾斜する可能性はない。
【００３１】
その結果、本実施の形態に係る賞品展示用容器１０にあっては、板状商品１２を枚数に関わらず、常に、背板部１５にもたせ掛けられるように配置収納させることができ、従来の商品展示用容器のように、板状商品の枚数が少なくなった場合に、板状商品が、前方へ倒れ込み、その結果、商品展示用容器そのものが前方へ倒れ込んでしまう、という事態を有効に防止することができる。
【産業上の利用可能性】
【００３２】
本考案に係る商品展示用容器は、広く商品の展示用容器に適用することができるため、産業上の利用可能性を有している。
【符号の説明】
【００３３】
１０  商品展示用容器
１１  傾斜板部
１２  板状商品
１３  底板部
１４  前板部
１５  背板部
１６  収納部
１７  側板部
１８  支持板部
１９  開口部
２０  容器形成台紙
２１  前板形成部
２２  側板形成部
２３  背板形成部
２４  支持板形成部
２５  側板固定部
２６  側板固定部
２７  折り返し線部
２８  内方背板形成部
２９  傾斜板形成部
３０  内方配置板部
３１  内方背板部
３２  底板形成部
３３  折線
３４  折線
３５  折線
３６  前端部
６０  商品展示用容器
６１  板状商品
６２  底板部
６３  背板部
６４  側板部
６５  支持板
６６  基板
６７  膨出部
６８  前板部
６９  収納部 
【図１】
0003193294.tif 000003
【図２】
0003193294.tif 000004
【図３】
0003193294.tif 000005
【図４】
0003193294.tif 000006
【図５】
0003193294.tif 000007
【図６】
0003193294.tif 000008
【図７】
0003193294.tif 000009
【図８】
0003193294.tif 000010
【図９】
0003193294.tif 000011